(57)【要約】【課題】ジャケットを検知して本体側で機能変更するためのジャケット検知手段として、安価で本体小型化に貢献する検知手段を提供する。【解決手段】ジャケットに導電性弾性部を配置し、導電性弾性部の位置パターンによりジャケットを検知してジャケットモードに変更する。【選択図】図４
2019057854.tif 000002
【特許請求の範囲】
【請求項１】
タッチパネルとカメラモードとジャケットモードを有する撮像装置と、撮像装置に装着して使用するジャケットにおいて、ジャケットは導電性弾性部を有し、ジャケットが撮像装置本体に装着された状態においては、導電性弾性部はタッチパネルと常に当接し、かつカメラモード変更手段によりカメラモードが変更することを特徴としている撮像装置及びジャケット。
【請求項２】
前記ジャケットは前記導電性弾性部材と対向する位置に位置規制部を有することを特徴としている請求項１記載の撮像装置及びジャケット。
【請求項３】
前記ジャケットは導電部材で構成されていることを特徴としている請求項１記載の撮像装置及びジャケット。
【請求項４】
前記導電性弾性部材は径が９ｍｍ以上で形成されていることを特徴としている請求項１記載の撮像装置及びジャケット。
【請求項５】
前記導電性弾性部材は３個以上配置されていることを特徴としている請求項１記載の撮像装置及びジャケット。
【発明の詳細な説明】
【技術分野】
【０００１】
本発明はジャケットを装着できる撮像装置及びジャケットに関するものである。
【背景技術】
【０００２】
近年、カメラのデジタル化に伴い、携帯性の良い小型・軽量なカメラが発売されている。また、水中等あらゆる環境下でカメラを使用できるよう、カメラに着用して使用する各種ジャケットがある。ここで、カメラ側でジャケットが装着されていることを検知するための手段としては、ジャケットに無線タグをつけて検出する方法がある（特許文献１）。
【先行技術文献】
【特許文献】
【０００３】
【特許文献１】特願２００７−３１７２７５号公報
【発明の概要】
【発明が解決しようとする課題】
【０００４】
ここで、ジャケットを検出する手段として、無線タグ等、専用の検出手段を設けるとコストアップとなり、かつ、カメラ本体が大型化してしまうという問題があった。そこで、コストアップとならず、かつ、カメラ本体が大型化することなく、カメラ本体がジャケットを検出できる方法が求められている。
【課題を解決するための手段】
【０００５】
本発明の撮像装置及びジャケットは、タッチパネルとカメラモードとジャケットモードを有する撮像装置と、撮像装置に装着して使用するジャケットにおいて、ジャケットは導電性弾性部を有し、ジャケットが撮像装置本体に装着された状態においては、導電性弾性部はタッチパネルと常に当接し、かつカメラモード変更手段によりカメラモードが変更することを特徴としている。
【０００６】
また、本発明の他の特徴とするところは、ジャケットは導電性弾性部材と対向する位置に位置規制部を有することを特徴としている。
【０００７】
また、本発明の他の特徴とするところは、ジャケットは導電部材で構成されていることを特徴としている。
【０００８】
また、本発明の他の特徴とするところは、導電性弾性部材は径がΦ９ｍｍ以上で形成されていることを特徴としている。
【０００９】
また、本発明の他の特徴とするところは、導電性弾性部材は３個以上配置されていることを特徴としている。
【発明の効果】
【００１０】
以上説明したように、本発明によれば、カメラ本体に専用の検知手段を設けることなくジャケットの装着を検知することができるので、コストダウンとなり、かつ、カメラ本体を小型化することができる。
【図面の簡単な説明】
【００１１】
【図１】カメラの斜視図
【図２】システムブロック図
【図３】ジャケット装着図
【図４】ジャケット断面図
【図５】ジャケットモード切り替え処理のフローチャート
【図６】ジャケットモード選択画面の説明図
【発明を実施するための形態】
【００１２】
以下、図を参照して本発明を実施するための最良の形態を説明する。
【００１３】
（撮像装置概略）
図１は本発明を適用したデジタルカメラ１００の一例であり、前方向及び後ろ方向からの斜視図である。１０１は撮像レンズ、１０２はシャッター操作部、１０３は表示部である。ここで表示部１０３はタッチパネル１０４を有し、カメラを操作するための各種機能を有するスイッチを配備している。そして、ユーザーはタッチパネル１０４を触って操作することで、カメラの各種操作を行う。ここでタッチパネル１０４は多点検知可能なタイプ（例えば静電容量方式）となっている。
【００１４】
（撮像装置ブロック図概要）
図２は、本実施形態のデジタルカメラの構成例を示すブロック図である。図２において、撮像レンズ１０１はズームレンズ、フォーカスレンズを含むレンズ群である。撮像部１０５は光学像を電気信号に変換するＣＣＤやＣＭＯＳ素子等で構成される撮像素子である。
【００１５】
画像処理部１０６は、撮像部１０５での画像に関わる処理を施す。メモリ１０８は、撮像部１０５によって得られた画像データや、表示部１０に表示するための画像データを格納する。メモリ１０８は、所定枚数の静止画像や所定時間の動画像および音声を格納するのに十分な記憶容量を備えている。
【００１６】
表示部１０は、ＬＣＤ等の表示部上に表示を行う。撮影時は電子ビューファインダとして機能し、スルー画像表示を行える。シャッターボタン１０２、ズームスイッチ１０９、電源スイッチ１１０はシステム制御部１０７に各種の動作指示を入力するための操作手段である。ズームスイッチ１０９からの入力を受けてシステム制御部１０７から指示を出して撮像レンズ１０１を動かして画角が変更される。
【００１７】
シャッターボタン１０２からの入力によりシステム制御部１０７が撮像部１０５で得られた画像をメモリ１０８に格納する。電源部１１１は、電池、電池検出回路、ＤＣ−ＤＣコンバータ、通電するブロックを切り替えるスイッチ回路等により構成され、電池の装着の有無、電池の種類、電池残量の検出を行う。
【００１８】
また、電源部１１１は、その検出結果及びシステム制御部１０７の指示に基づいてＤＣ−ＤＣコンバータを制御し、必要な電圧を必要な期間、各部へ供給する。
【００１９】
（ジャケット概略）
図３はデジタルカメラにジャケットを装着した概略図である。ジャケットには例えば子供がカメラを使用するために適したジャケットがあり、この場合のジャケットは、ジャケットを装着することでカメラを子供でも把持しやすくなったり、操作部が大きく押しやすくなったりする。
【００２０】
ここで、ジャケットは金属などの導電部材でできたジャケット本体部１１４とジャケット操作部１１５でできている。タッチパネルを有するデジタルカメラの表示部１０には表示部開口１１６があり、ジャケット外側より表示が見られるようになっている。ジャケット上面にはジャケットシャッターボタン１１７、ジャケット背面にはジャケット操作部１１５が配置されている。
【００２１】
ここで、ジャケットが装着された場合にカメラ側で機能が変わるジャケットモードとしては、例えば、表示領域を表示部開口１１６に合わせて小さくすることや、子供がカメラを使用することを想定してカメラ機能を基本機能のみに限定することなどが考えられる。
【００２２】
（ジャケット断面の説明）
図４はデジタルカメラにジャケットを装着した状態での断面図である。ここで、１００はデジタルカメラ本体で、１０３はタッチパネル１０４を有するカメラ表示部で、１１４はジャケット本体部、１１８は導電性の弾性部材で構成されたジャケット導電性弾性部、１１９は位置規制部である。
【００２３】
ここで、ジャケット導電性弾性部１１８はタッチパネル１０４に当接している。よって、導電部材で構成されているジャケット本体部１１４を使用者が把持した場合は使用者の手と同電位がジャケット本体部１１４からジャケット導電性弾性部１１８を伝わりタッチパネル１０４が同電位となり、人が操作したことと同じになることでタッチパネル１０４が反応する仕組みとなっている。
【００２４】
また、カメラ本体１００に対してジャケット導電性弾性部１１８と対向する位置に位置規制部１１９が配置されている。よって、デジタルカメラ本体１００にジャケット本体部１１４が装着された時には、ジャケット導電性弾性部１１８と位置規制部１１９により、タッチパネル１０４とジャケット導電性弾性部１１８が接触することとなる。
【００２５】
デジタルカメラ本体１００はジャケット導電性弾性部の配置パターンを情報として保持している。よって、ジャケット導電性弾性部１１８を３個以上配置することで、ジャケット以外（例えば使用者の指のタッチ等）による誤動作を防止することができる。ここで、ジャケット本体部１１４の内壁からタッチパネル１０４までの距離ａはタッチパネルが勝手に反応することがないよう十分な距離が取られている。また、ジャケット導電性弾性部１１８が３個以上配置されていることでカメラ本体のガタ取りを均一に行うことができる。そして、ジャケット導電性弾性部１１８は人の指を想定して、径をφ９ｍｍ以上で形成している。
【００２６】
（ジャケットモード切り替え処理のステップ）
以上、説明してきたデジタルカメラにジャケットを装着した場合にジャケットを検出してジャケットモードに切り替える処理のステップについて図５を用いて説明する。
【００２７】
電源スイッチを操作するとシステム制御部が電源ＯＮの処理（Ｓ１０１）を行う。ジャケットが装着され使用者が把持していれば、タッチパネルで複数点検出処理（Ｓ１０２）が行われ、検出点がジャケットパターンと一致していれば、ＵＩ表示処理（Ｓ１０３）を行い、図６に示すような選択画面を表示する。ここで使用者が、ジャケットモードを選択した場合には、ジャケットモードへの切り替え処理（Ｓ１０３）を行う。
【００２８】
（まとめ）
以上、これまで本発明の実施形態として、ジャケットモードに関しては、子供がカメラを使用した場合を例に説明してきたが、本発明のジャケットモードはこの限りではない。また、構成に関して、例えばジャケットは導電部材で構成されていると説明したが、導電部は一部でもよく、本発明で説明している構成は本発明が成立するのであれば構成はこの限りではない。
【００２９】
以上、本発明をその好適な実施形態に基づいて詳述してきたが、本実施例の効果は、カメラ本体に専用の検知手段を設けることなくジャケットの装着を検知してジャケットモードに切り替えることができるので、コストダウンとなり、かつ、カメラ本体を小型化することができる。
【符号の説明】
【００３０】
１０１：撮像レンズ
１０２：シャッターボタン
１０３：表示部
１０４：タッチパネル
１０５撮像部
１０６：画像処理部
１０７：システム制御部
１０８：メモリ
１０９：ズームスイッチ
１１０：電源スイッチ
１１１：電源部
１１３：ジャケット
１１４：ジャケット本体部
１１５：ジャケット操作部
１１６：表示部開口
１１７：ジャケットシャッターボタン
１１８：ジャケット導電性弾性部
１１９：位置規制部
【図１】
2019057854.tif 000003
【図２】
2019057854.tif 000004
【図３】
2019057854.tif 000005
【図４】
2019057854.tif 000006
【図５】
2019057854.tif 000007
【図６】
2019057854.tif 000008